(57)【要約】      （修正有）【課題】加湿空気清浄機をより清浄な状態で使用するために、臭気や雑菌の発生を抑えるペレットを収納するためのペレットカートリッジを提供する。【解決手段】加湿装置用ペレットカートリッジ１であって、ペレットカートリッジは、基体部２と基体部に固定可能な保持部３とを備え、基体部は、水を貯留可能な給水タンクから取り外し可能なタンクキャップに固定可能であり、保持部は、給水タンク内の水が内部に流出入可能であり、ペレット２０を内部に保持してペレットカートリッジの外部にペレットが流出することを防止し、かつ、基体部から取り外し自在に構成されている。【選択図】図１
0003234060.tif 000002
【実用新案登録請求の範囲】
【請求項１】
加湿フィルタに空気を通過させ、前記加湿フィルタに供給された水と前記空気によって、気化水分を含む湿り空気を送り出す加湿装置の内部において、前記水及び／又は前記湿り空気によって細菌が発生することを防止するための除菌及び／又は消臭効果を有するペレットを内部に収納するための加湿装置用ペレットカートリッジであって、
当該ペレットカートリッジは、基体部と基体部に固定可能な保持部とを備え、
前記基体部は、前記水を貯留可能な給水タンクから取り外し可能なタンクキャップに固定可能であり、
前記保持部は、前記給水タンク内の前記水が内部に流出入可能であり、前記ペレットを内部に保持して前記ペレットカートリッジの外部に当該ペレットが流出すること防止し、かつ、前記基体部から取り外し自在に構成されていることを特徴とする加湿装置用ペレットカートリッジ。
【請求項２】
前記保持部は有底円筒状の形状をなし、前記給水タンク内の前記水が内部に流出入可能な流出入孔を有し、前記基体部に取り外し自在に固定されることにより、前記給水タンク内の前記水が内部に流出入可能な状態で、前記ペレットの収納空間が形成されて、当該ペレットが外部に流出できない状態で内部に保持されることを特徴とする請求項１に記載の加湿装置用ペレットカートリッジ。
【請求項３】
前記保持部及び前記基体部は互いに螺合により取り外し自在に構成されていることを特徴とする請求項１又は請求項２に記載の加湿装置用ペレットカートリッジ。
【請求項４】
前記保持部及び前記基体部は、何れか一方が雄螺子部又は雌螺子部を有し、かつ、何れ片方が雌螺子部又は雄螺子部を有することよって互いに螺合により取り外し自在に構成されていることを特徴とする請求項１又は請求項２に記載の加湿装置用ペレットカートリッジ。
【請求項５】
請求項１乃至請求項４のいずれか１に記載の加湿装置は、前記加湿フィルタを通過する前の前記空気が通過する浄化フィルタをさらに備えた加湿空気清浄装置であることを特徴とする加湿空気清浄装置用ペレットカートリッジ。
【考案の詳細な説明】
【技術分野】
【０００１】
本考案は、加湿装置や加湿空気清浄装置において、臭気や雑菌の発生を抑えるペレットを収納するためのペレットカートリッジに関する。
【背景技術】
【０００２】
室内においては、空気中に塵埃・タバコの煙・花粉・呼気等といった種々の人が不快に感じたり、人体に有害な物質が含まれており、通常、窓を開けるなどして換気を行うことが行われているが、大気汚染や、花粉症により、窓を開けての換気を行うことが困難な場合がある。
【０００３】
そのため、室内における空気を浄化するべく空気浄化機能を有する空気清浄装置が広く用いられている。
【０００４】
空気清浄装置は、正面側に浄化フィルタが配され、内部に、送風機を有する通風路が形成され、通風路は正面の開口から上部の吹出口に至るように構成される。この場合、空気清浄機は、送風機の回転により、空気清浄装置の外部の空気、即ち、室内の空気が、浄化フィルタを通じて通風路内に吸い込まれ、吸い込まれた空気を外部である室内へ吹出口より吹き出す。その際、空気中に含まれる有害物質は浄化フィルタによって捕集・吸着・分解されて取り除かれて空気が浄化される。
【０００５】
空気清浄装置には、室内の空気をより快適な状態にするため、加湿機能をも備えるものも存在する。加湿機能付きの空気清浄装置、即ち、加湿空気清浄装置では、水分を含んだ加湿フィルタが通風路に配され、浄化フィルタにより浄化された空気が、加湿フィルタを通過する際に水分を取り込むことによって、加湿された空気が吹出口から排出される。
【０００６】
ここで、図３を用いて加湿空気清浄装置の構成について説明する。図３は加湿空気清浄装置を示す図であり、（ａ）は後方斜視図、（ｂ）は（ａ）の分解図である。
【０００７】
図３に示す加湿空気清浄装置は、室内において、床上に配されたり、壁に掛けられたりして使用されるものであり、図３（ａ）に示すように、全体として略直方体状をなし、筐体５１に対して、背面部に吸込口となる浄化フィルタ５２を配し、平面部に浄化かつ加湿された空気を排出する吹出口５３を配している。浄化フィルタ５２は、脱臭フィルタや集塵フィルタ等によって構成されている。
【０００８】
また、浄化フィルタ５２の側方には、取り込んだ空気を加湿するための水を貯める給水タンク５６が配されている。
【０００９】
また、図３（ｂ）の分解図に示すように、浄化フィルタ５２は筐体５１の背面側に形成された凹部（浄化フィルタ収納凹部５１ａ）に嵌め込まれるように配されており、給水タンク５６は、筐体５１の側方に形成された凹部（給水タンク収納凹部５１ｂ）に嵌め込まれるように配されている。
【００１０】
図３（ｂ）に示すように、給水タンク５６は、略直方体状に構成され、内部に水を貯めた状態でタンクキャップ５６ａが下方側となるように倒立状態で加湿空気清浄装置５０に設置されるものである。タンクキャップ５６ａは、定水位弁５６ｃ（図５参照）を内蔵し給水タンク５６内の収容水を外部に排出可能となっている。また、給水タンク５６の側面には収容水の量を確認可能な透明体からなる水量確認窓５６ｂを有している。
【００１１】
給水タンク５６の下方には、加湿空気清浄装置５０の筐体５１から引き出し可能な有底状の貯水トレー５７が位置し、貯水トレー５７は、給水タンク５６を倒立状態で支持してタンクキャップ５６ａを介して排出された水を貯めるタンク支持部５７ａと、タンク支持部５７ａから加湿空気清浄装置５０の内部方向に連続して水を貯める貯水部５７ｂから構成されている。
【００１２】
貯水トレー５７には、給水タンク５６からタンクキャップ５６ａ介して水が適宜供給されて、一定の水位になるように水が貯められている。
【００１３】
貯水部５７ｂは、円盤状、かつ、回転式の加湿フィルタ５９の下部のみが内部に侵入しており、侵入した加湿フィルタ５９の下部が貯水部５９に貯められた水を吸水可能となっている。
【００１４】
加湿フィルタ５９は、筐体５１の給水タンク収納凹部５１ｂの内部にさらに形成された加湿フィルタ収納凹部５８に貯水トレー５７の貯水部５７ｂとともに収納可能に構成されている。
【００１５】
そのため、加湿フィルタ５９は、加湿フィルタ収納凹部５８に収納された状態で（図３（ａ））、加湿空気清浄装置５０が稼働され、加湿フィルタ５９の回転により、加湿フィルタ５９全体で効率的に吸水を行い、加湿効率を向上させるとともに、加湿フィルタ５９の回転速度を調整することにより、加湿レベルを調整可能である。
【００１６】
また、加湿空気清浄装置５０は、吸込口となる浄化フィルタ５２から、浄化かつ加湿された空気を排出する吹出口５３に至る通風路において図示しない送風機を有している。送風機はファンから構成され、ファンの駆動により、吸込口となる浄化フィルタ５２から外部の空気（室内の空気）を取り込み、取り込んだ空気を吹出口５３から外部に排出可能である。
【００１７】
従って、加湿空気清浄装置５０は、送風機の駆動により、吸込口となる浄化フィルタ５２から外部の空気（室内の空気）が導入され、導入された空気は、浄化フィルタ５２によって臭いや塵埃のない空気に浄化される。さらに、浄化された空気は、通風路中に配された回転自在の加湿フィルタ５９によって、加湿フィルタ５９を通過する際に水分を取り込み、加湿されて、浄化かつ加湿された空気が吹出口から排出される（気化水分を含む湿り空気を送り出す）。
【００１８】
尚、加湿空気清浄装置５０において、浄化フィルタ５２を設けない場合、加湿装置として機能する。
【００１９】
次に、図４及び図５を用いて吸水タンクとペレットカートリッジの関係を説明する。図４は、図３に示した給水タンクの概念図である。図５は、図４に示したタンクキャップとペレットカートリッジを示す分解斜視図である。
【００２０】
図４に示すように、給水タンク５６は、タンクキャップ５６ａを下方にした倒立状態で使用されるものであり、内部に加湿に用いられる水を貯めている。図５にも示すように、タンクキャップ５６ａにはペレットカートリッジ１１が装着されている。
【００２１】
ペレットカートリッジ１１は、図４に示すように、内部にペレットが収納されており、給水タンク５６内の収容水はペレットカートリッジ１１の内部に流出入自在となっている。ペレット２０は、除菌や消臭のために用いられるものであり、例えば、多孔質の樹脂を銀ゼオライト等でコーティングしたものであって、給水タンク５６内の収容水に銀イオンを溶出させることにより、収容水を銀イオン化するものである。
【００２２】
これにより、加湿空気清浄装置５０で使用される水を清浄なものとするとともに、銀イオンの除菌及び消臭効果により、加湿空気清浄装置５０から排出される空気や加湿空気清浄装置５０の内部でのぬめりや臭気の原因となる細菌の発生を防止するものである。ペレット２０は銀イオンを溶出するためのものであることから定期的に交換する必要がある。
【００２３】
図５に示すように、タンクキャップ５６ａは、蓋体から構成されるキャップ本体５６ａ１と、キャップ本体５６ａ１の内部の中心に配された定水位弁５６ｃとから構成されている。キャップ本体５６ａ１の内周面には給水タンク５６の雄螺子部（図示せず）に螺合して固定するための雌螺子部５６ａ２が設けられている。
【００２４】
定水位弁５６ｃは、弁体５６ｃ１と弁座５６ｃ２により構成され、給水タンク５６を貯水トレー５７のタンク支持部５７ａに固定する際、タンク支持部５７ａの内部に設けられた突部（図示せず）により弁体５６ｃ１が持ち上げられて、弁体５６ｃ１と弁座５６ｃ２との間が開放され、この開放により、貯水トレー５７に、給水タンク５６から定水位弁５６ｃを介して水が適宜供給されて、貯水トレー５７の内部において一定の水位となるように水が貯められる。弁座５６ｃ２の外周にはペレットカートリッジ１１を固定するための雄螺子部５６ｄが設けられており、ペレットカートリッジ１１の雌螺子部１２ｄと螺合して固定自在となっている。
【００２５】
次に、図６及び図７を用いて、従来のペレットカートリッジについて説明する。図６は、従来のペレットカートリッジの構成を示す分解図である。図７は、図６のペレットカートリッジを示す図であり、（ａ）は斜視図、（ｂ）は正面図である。
【００２６】
図６及び図７に示すように、従来のペレットカートリッジ１１は、概略、基体部１２と、基体部１２に固定された保持部１３とから構成されている。基体部１２は、給水タンク５６のタンクキャップ５６ａに固定可能であり、保持部１３は、給水タンク５６内の収容水が内部に流出入可能であり、ペレット２０を内部に保持してペレットカートリッジ１１の外部にペレット２０が流出すること防止している。
【００２７】
従来のペレットカートリッジ１１の構成について詳述する。まず、基体部１２について詳述すると、基体部１２は、一端側が閉塞されたような有底円筒状のような形状をなし、筒体部１２ａの一端側に筒体の径がさらに拡大して段部を構成する円筒状の拡径部１２ｃが形成され、拡径部１２ｃの内周には雌螺子部１２ｄが形成されて（図７（ｂ））、タンクキャップ５６ａの雄螺子部５６ｄと螺合することにより、基体部１２を給水タンク５６へと固定可能としている。
【００２８】
また、筒体部１２ａの他端側に筒体の径がさらに縮小して狭くなって段部を構成する円筒状の狭径部１２ｅが形成され、狭径部１２ｅの外周には等間隔で保持部１３と係合するための係合突部１２ｅ１が複数設けられている。
【００２９】
また、筒体部１２ａの他端側には、筒体部１２ａを閉塞してペレット２０の流出を防止するための閉塞部１２ｂが形成されており（基体部１２の有底状態）、閉塞部１２ｂにはペレット２０の流出入を防止しつつ、給水タンク５６内の収容水の流出入を自在とする大きさで流出入孔１２ｂ１が複数設けられている。
【００３０】
また、筒体部１２ａの側面、かつ、拡径部１２ｃ側には、基体部１２の内部と外部を貫通する貫通孔１２ａ２が形成されて、給水タンク５６内の収容水が流出入自在となっている、
【００３１】
次に、保持部１３について詳述すると、保持部１３は、一端側が閉塞されたような有底円筒状のような形状をなしている。即ち、筒体部１３ａの一端側に、筒体部１３ａを閉塞してペレット２０の流出を防止するための閉塞部１３ｂが形成されており（保持部１３の有底状態）、閉塞部１３ｂにはペレット２０の流出入を防止しつつ、給水タンク５６内の収容水の流出入を自在とする大きさで流出入孔１３ｂ１が複数設けられている。
【００３２】
また、筒体部１３ａの他端側には、基体部１２の係合突部１２ｅ１と係合するための係合孔部１３ａ１が等間隔で筒体部１３ａの内部と外部を貫通して複数設けられている。
【００３３】
基体部１２に対する保持部１３の固定にあたり、保持部１３の内部空間にペレット２０を必要量入れた状態で、保持部１３の内部空間に基体部１２の狭径部１２ｅを嵌め入れることにより、基体部１２の係合突部１２ｅ１と、保持部１３の係合孔部１３ａ１とが固く係合し、保持部１３と基体部１２の閉塞部１２ｂによりペレット２０の収納空間１５（図７（ｂ）参照）が形成されて、ペレット２０の外部への流出が防止されるとともに、給水タンク５６内の収容水が流出入孔１３ｂ１、流出入孔１２ｂ１及び貫通孔１２ａ２を通じて収納空間に対して流出入自在に構成されることとなる。
【考案の概要】
【考案が解決しようとする課題】
【００３４】
この場合、基体部１２に対する保持部１３の固定は、保持部１３の内部空間に基体部１２の狭径部１２ｅを嵌め入れ、基体部１２の係合突部１２ｅ１と、保持部１３の係合孔部１３ａ１とが固く係合することから、基体部１２から保持部１３を取り外すことができなかった。
【００３５】
そのため、ペレットカートリッジ１１の収納空間１５内のペレット２０は一度ペレットカートリッジ１１に内蔵されると、ペレットカートリッジ１１全体を交換しない限り、ペレット２０を交換することができず、ランニングコストが高く、ペレット２０の交換が促進されないという問題があり、これにより雑菌が加湿空気清浄機５０内で発生し、ぬめりや臭気が発生してしまう可能性があった。
【００３６】
また、基体部１２から保持部１３を取り外すことができないため、そもそも基体部１２と保持部１３の内部、即ち、収納空間１５を清掃することができないため、これにより雑菌が加湿空気清浄機５０内で発生し、ぬめりや臭気が発生してしまう可能性があった。
【００３７】
本考案の考案者は、この点を解決するべく、試行錯誤を行って本考案に至ったものであり、本考案は、加湿装置や加湿空気清浄装置において、臭気や雑菌の発生を抑えるペレットを収納するためのペレットカートリッジに関し、加湿空気清浄機をより清浄な状態で使用するためのペレットカートリッジを提供することを目的とする。
【課題を解決するための手段】
【００３８】
上記目的達成のため、本考案の加湿装置用ペレットカートリッジは、加湿フィルタに空気を通過させ、前記加湿フィルタに供給された水と前記空気によって、気化水分を含む湿り空気を送り出す加湿装置の内部において、前記水及び／又は前記湿り空気によって細菌が発生することを防止するための除菌及び／又は消臭効果を有するペレットを内部に収納するための加湿装置用ペレットカートリッジであって、当該ペレットカートリッジは、基体部と基体部に固定可能な保持部とを備え、前記基体部は、前記水を貯留可能な給水タンクから取り外し可能なタンクキャップに固定可能であり、前記保持部は、前記給水タンク内の前記水が内部に流出入可能であり、前記ペレットを内部に保持して前記ペレットカートリッジの外部に当該ペレットが流出すること防止し、かつ、前記基体部から取り外し自在に構成されていることを特徴とする。
【００３９】
また、本考案の前記保持部は有底円筒状の形状をなし、前記給水タンク内の前記水が内部に流出入可能な流出入孔を有し、前記基体部に取り外し自在に固定されることにより、前記給水タンク内の前記水が内部に流出入可能な状態で、前記ペレットの収納空間が形成されて、当該ペレットが外部に流出できない状態で内部に保持されることを特徴とする。
【００４０】
前記保持部及び前記基体部は互いに螺合により取り外し自在に構成されていることを特徴とする請求項１又は請求項２に記載の加湿装置用ペレットカートリッジ。
【００４１】
また、本考案の前記保持部及び前記基体部は、何れか一方が雄螺子部又は雌螺子部を有し、かつ、何れ片方が雌螺子部又は雄螺子部を有することよって互いに螺合により取り外し自在に構成されていることを特徴とする。
【００４２】
また、本考案の加湿装置は、前記加湿フィルタを通過する前の前記空気が通過する浄化フィルタをさらに備えた加湿空気清浄装置であることを特徴とする。
【考案の効果】
【００４３】
本考案のペレットカートリッジによれば、基体部と、基体部に固定可能、かつ、ペレットを内部に保持可能な保持部とからなり、この保持部は基体部から取り外し自在に構成されていることから、内部の除菌消臭効果を有するペレットの取り換えが自在であり、内部のペレットを交換するのみで、加湿装置や加湿空気清浄装置の内部における細菌の発生を容易に防止して、臭気や雑菌の発生を容易に防止可能である。
【００４４】
また、本考案のペレットカートリッジによれば、保持部が基体部から取り外し自在に構成されていることから、内部のペレットの取り換えが自在であるばかりか、基体部及び保持部の外部のみならず、それらの内部をも洗浄することが可能となり、ペレットカートリッジ自体を浄化することも容易であり、この点からも加湿装置や加湿空気清浄装置の内部における細菌の発生を容易に防止して、臭気や雑菌の発生を容易に防止可能である。
【００４５】
また、本考案のペレットカートリッジによれば、保持部が基体部から取り外し自在に構成されていることから、内部のペレットの取り換えが自在であるばかりか、基体部及び保持部の外部のみならず、内部をも洗浄して再利用可能であることから、ペレットを内蔵したペレットカートリッジ全体を交換する必要がなく、内部のペレットのみ交換すれば足りるため、ランニングコストを低減しつつも、加湿装置や加湿空気清浄装置の内部における細菌の発生を容易に防止して、臭気や雑菌の発生を容易に防止可能である。
【００４６】
さらに、このようにランニングコストを低減しつつも、加湿装置や加湿空気清浄装置の内部における細菌の発生を容易に防止できるため、気軽にペレットの交換や、基体部及び保持部の外部及び内部を洗浄可能であることから、使用者に積極的にペレットの交換や、基体部及び保持部の外部及び内部を洗浄することが促され、より定期的かつ確実に加湿装置や加湿空気清浄装置の内部における臭気や雑菌の発生を容易に防止可能である。
【図面の簡単な説明】
【００４７】
【図１】本考案の実施形態に係るペレットカートリッジの構成を示す分解図である。
【図２】図１のペレットカートリッジを示す図であり、（ａ）は斜視図、（ｂ）は正面図である。
【図３】加湿空気清浄装置を示す図であり、（ａ）は後方斜視図、（ｂ）は分解図である。
【図４】図３に示した給水タンクの概念図である。
【図５】図４に示したタンクキャップとペレットカートリッジを示す分解斜視図である。
【図６】従来のペレットカートリッジの構成を示す分解図である。
【図７】図６のペレットカートリッジを示す図であり、（ａ）は斜視図、（ｂ）は正面図である。
【考案を実施するための形態】
【００４８】
以下図面を参照して、本考案によるペレットカートリッジを実施するための形態について説明する。本考案の説明にあたり、図３乃至図５において説明した加湿空気清浄装置５０、給水タンク５６
及びタンクキャップ５６ａの構成は本考案においても変わるところはなく、本考案はそのペレットカートリッジの基体部及び保持部の構成を従来に対して新たにするものである。そのため、加湿空気清浄装置５０において、浄化フィルタ５２を設けない場合、加湿装置として機能する点も同様である。また、ペレット２０も従来と変わるものではない。
【００４９】
本考案のペレットカートリッジの実施形態について図１及び図２を用いて説明する。図１は、本考案の実施形態に係るペレットカートリッジの構成を示す分解図である。図２は、図１のペレットカートリッジを示す図であり、（ａ）は斜視図、（ｂ）は正面図である。
【００５０】
図１及び図２に示すように、本考案のペレットカートリッジ１は、概略、基体部２と、基体部２に固定された保持部３とから構成されている。基体部２は、給水タンク５６のタンクキャップ５６ａに固定可能であり、保持部３は、給水タンク５６内の収容水が内部に流出入可能であり、ペレット２０を内部に保持してペレットカートリッジ１の外部にペレット２０が流出すること防止している。
【００５１】
本考案のペレットカートリッジ１の構成について詳述する。まず、基体部２について詳述すると、基体部２は、一端側が閉塞されたような有底円筒状のような形状をなし、筒体部２ａの一端側に筒体の径がさらに拡大して段部を構成する円筒状の拡径部２ｃが形成され、拡径部１２ｃの内周には雌螺子部２ｄが形成されて（図２（ｂ））、タンクキャップ５６ａの雄螺子部５６ｄと螺合することにより、基体部２を給水タンク５６へと固定可能としている。
【００５２】
また、筒体部２ａの他端側に筒体の径がさらに縮小して狭くなって段部を構成する円筒状の狭径部２ｅが形成され、狭径部２ｅの外周には保持部１３と螺合するための雄螺子部２ｅ１が設けられている。
【００５３】
また、筒体部２ａの他端側には、筒体部２ａを閉塞してペレット２０の流出を防止するための閉塞部２ｂが形成されており（基体部２の有底状態）、閉塞部１２ｂにはペレット２０の流出入を防止しつつ、給水タンク５６内の収容水の流出入を自在とする大きさで流出入孔２ｂ１が複数設けられている。
【００５４】
また、筒体部２ａの側面、かつ、拡径部２ｃ側には、基体部２の内部と外部を貫通する貫通孔２ａ２が形成されて、給水タンク５６内の収容水が流出入自在となっている、
【００５５】
次に、保持部３について詳述すると、保持部３は、一端側が閉塞されたような有底円筒状のような形状をなしている。即ち、筒体部３ａの一端側に、筒体部３ａを閉塞してペレット２０の流出を防止するための閉塞部３ｂが形成されており（保持部３の有底状態）、閉塞部３ｂにはペレット２０の流出入を防止しつつ、給水タンク５６内の収容水の流出入を自在とする大きさで流出入孔３ｂ１が複数設けられている。
【００５６】
また、筒体部３ａの他端側の内周には、基体部２の雄螺子部２ｅ１と螺合するための雌螺子部３ｅが設けられている。
【００５７】
基体部２に対する保持部３の固定にあたり、保持部３の内部空間にペレット２０を必要量入れた状態で、保持部３の内部空間に基体部２の狭径部２ｅを回し入れることにより、基体部２の雄螺子部２ｅ１と、保持部３の雌螺子部３ｅとが螺合し、保持部３と基体部２の閉塞部２ｂによりペレット２０の収納空間５（図２（ｂ）参照）が形成されて、ペレット２０の外部への流出が防止されるとともに、給水タンク５６内の収容水が流出入孔３ｂ１、流出入孔２ｂ１及び貫通孔２ａ２を通じて収納空間に対して流出入自在に構成されることとなる。
【００５８】
この場合、基体部２に対する保持部３の固定は、基体部２の雄螺子部２ｅ１と保持部３の雌螺子部３ｅとの螺合によって実現することから、基体部２から保持部３を取り外しが自在であり、ペレット２の交換や、基体部２と保持部３の内部、即ち、収納空間５の清掃も自在である。
【００５９】
尚、基体部２に対して保持部３が取り外し自在であれば、基体部２の雄螺子部２ｅ１と保持部３の雌螺子部３ｅとの螺合でなくとも問題はなく、嵌合等の他の係合手段によることも想定される。また、基体部２と保持部３との螺合にあたり、雄螺子と雌螺子の関係は逆に配される構成も想定される。
【００６０】
この考案は、その本質的特性から逸脱することなく数多くの形式のものとして具体化することができる。よって、上述した実施形態は専ら説明上のものであり、本考案を制限するものではないことは言うまでもない。
【符号の説明】
【００６１】
１        ペレットカートリッジ
２        基体部
２ａ      筒体部
２ａ２    貫通孔
２ｂ      閉塞部
２ｂ１    流出入孔
２ｃ      拡径部
２ｄ      雌螺子部
２ｅ      狭径部
２ｅ１    雄螺子部
３        保持部
３ａ      筒体部
３ｂ      閉塞部
３ｂ１    流出入孔
３ｅ      雌螺子部
５        収納空間
１１      ペレットカートリッジ
１２      基体部
１２ａ    筒体部
１２ａ２  貫通孔
１２ｂ    閉塞部
１２ｂ１  流出入孔
１２ｃ    拡径部
１２ｄ    雌螺子部
１２ｅ    狭径部
１２ｅ１  係合突部
１３      保持部
１３ａ    筒体部
１３ａ１  係合孔部
１３ｂ      閉塞部
１３ｂ１    流出入孔
１５      収納空間
２０      ペレット
５０      加湿装置（加湿空気清浄装置）
５１      筐体
５１ａ    浄化フィルタ収納凹部
５１ｂ    給水タンク収納凹部
５２      浄化フィルタ
５３      吹出口
５６      給水タンク
５６ａ    タンクキャップ
５６ａ１  キャップ本体
５６ａ２  雌螺子部
５６ｂ    水量確認窓
５６ｃ    定水位弁
５６ｃ１  弁体
５６ｃ２  弁座
５６ｄ    雄螺子部
５７      貯水トレー
５７ａ    タンク支持部
５７ｂ    貯水部
５８      加湿フィルタ収納凹部
５９      加湿フィルタ
【図１】
0003234060.tif 000003
【図２】
0003234060.tif 000004
【図３】
0003234060.tif 000005
【図４】
0003234060.tif 000006
【図５】
0003234060.tif 000007
【図６】
0003234060.tif 000008
【図７】
0003234060.tif 000009